(57)【要約】【課題】画面に対する操作性を向上させること。【解決手段】表示制御装置は、画面に表示させる複数の選択対象となる第１領域を並べて配置する第１領域設定部と、第１領域設定部により配置された第１領域の数、位置、及び画面の仕様に基づいて、複数の第１領域のそれぞれに対応する複数の第２領域を設定する第２領域設定部と、画面上の操作位置を検出する検出部と、複数の第２領域のうち操作位置が含まれる第２領域に対応する第１領域を、選択中の領域であると判定する選択判定部と、を備える。【選択図】図１
2020003915.tif 000002
【特許請求の範囲】
【請求項１】
画面に表示させる複数の選択対象となる第１領域を並べて配置する第１領域設定部と、
前記第１領域設定部により配置された前記第１領域の数、位置、及び前記画面の仕様に基づいて、複数の前記第１領域のそれぞれに対応する複数の第２領域を設定する第２領域設定部と、
前記画面上の操作位置を検出する検出部と、
複数の前記第２領域のうち前記操作位置が含まれる前記第２領域に対応する前記第１領域を、選択中の領域であると判定する選択判定部と、
を備える表示制御装置。
【請求項２】
前記第２領域設定部は、
複数の前記第２領域のうち少なくとも２つの前記第２領域どうしの一部を隣接させる、
請求項１に記載の表示制御装置。
【請求項３】
前記第２領域設定部は、
前記第１領域設定部により配置された前記第１領域の数に応じて前記画面の画面領域を分割した分割領域のそれぞれを前記第２領域とする、
請求項１または請求項２に記載の表示制御装置。
【請求項４】
前記第２領域設定部は、
前記画面上の少なくとも第１方向において、前記第１領域の数と同じ数になるように前記第２領域を設定する、
請求項１から請求項３のいずれか一項に記載の表示制御装置。
【請求項５】
前記第２領域設定部は、
前記第１方向において均等の幅を有する複数の前記第２領域を設定する、
請求項４に記載の表示制御装置。
【請求項６】
前記第２領域設定部は、
前記画面上の前記第１方向と前記第１方向に直行する第２方向とにおいて、前記第１領域の数と同じ数になるように前記第２領域を設定する、
請求項４または請求項５に記載の表示制御装置。
【請求項７】
前記第２領域設定部は、
前記第１方向と前記第２方向とのそれぞれにおいて均等の幅を有する複数の前記第２領域を設定する、
請求項６に記載の表示制御装置。
【請求項８】
前記第２領域設定部は、
複数の前記第１領域のそれぞれの大きさに応じて、複数の前記第２領域のそれぞれの大きさを設定する、
請求項７に記載の表示制御装置。
【請求項９】
前記選択判定部により選択中の領域であると判定された前記第１領域を、選択中であることを示す表示態様に変更する選択表示部
を備える請求項１から請求項８のいずれか一項に記載の表示制御装置。
【請求項１０】
画面に表示させる複数の選択対象となる第１領域を不連続に並べて配置する第１領域設定部と、
複数の前記第１領域のそれぞれに対応する複数の第２領域を、少なくとも２つの前記第２領域どうしの一部が隣接するように配置する第２領域設定部と、
前記画面上の操作位置を検出する検出部と、
複数の前記第２領域のうち前記操作位置が含まれる前記第２領域に対応する前記第１領域を、選択中の領域であると判定する選択判定部と、
を備える表示制御装置。
【請求項１１】
画面に表示させる複数の選択対象となる第１領域を並べて配置する第１領域設定部と、
前記第１領域設定部により配置された前記第１領域の数に応じて前記画面の画面領域を分割した分割領域のそれぞれを、複数の前記第１領域のそれぞれに対応する複数の第２領域として設定する第２領域設定部と、
前記画面上の操作位置を検出する検出部と、
複数の前記第２領域のうち前記操作位置が含まれる前記第２領域に対応する前記第１領域を、選択中の領域であると判定する選択判定部と、
を備える表示制御装置。
【請求項１２】
請求項１から請求項１１のいずれか一項に記載の表示制御装置、
を備えた表示装置。
【請求項１３】
請求項１２に記載の表示装置、
を備えたテレビジョン。
【請求項１４】
表示制御装置における表示制御方法であって、
第１領域設定部が、画面に表示させる複数の選択対象となる第１領域を並べて配置する第１領域設定ステップと、
第２領域設定部が、前記第１領域設定部により配置された前記第１領域の数、位置、及び前記画面の仕様に基づいて、複数の前記第１領域のそれぞれに対応する複数の第２領域を設定する第２領域設定ステップと、
検出部が、前記画面上の操作位置を検出する検出ステップと、
選択判定部が、複数の前記第２領域のうち前記操作位置が含まれる前記第２領域に対応する前記第１領域を、選択中の領域であると判定する選択判定ステップと、
を有する表示制御方法。
【請求項１５】
表示制御装置における表示制御方法であって、
第１領域設定部が、画面に表示させる複数の選択対象となる第１領域を不連続に並べて配置する第１領域設定ステップと、
第２領域設定部が、複数の前記第１領域のそれぞれに対応する複数の第２領域を、少なくとも２つの前記第２領域どうしの一部が隣接するように配置する第２領域設定ステップと、
検出部が、前記画面上の操作位置を検出する検出ステップと、
選択判定部が、複数の前記第２領域のうち前記操作位置が含まれる前記第２領域に対応する前記第１領域を、選択中の領域であると判定する選択判定ステップと、
を有する表示制御方法。
【請求項１６】
表示制御装置における表示制御方法であって、
第１領域設定部が、画面に表示させる複数の選択対象となる第１領域を並べて配置する第１領域設定ステップと、
第２領域設定部が、前記第１領域設定部により配置された前記第１領域の数に応じて前記画面の画面領域を分割した分割領域のそれぞれを、複数の前記第１領域のそれぞれに対応する複数の第２領域として設定する第２領域設定ステップと、
検出部が、前記画面上の操作位置を検出する検出ステップと、
選択判定部が、複数の前記第２領域のうち前記操作位置が含まれる前記第２領域に対応する前記第１領域を、選択中の領域であると判定する選択判定ステップと、
を有する表示制御方法。
【請求項１７】
コンピュータに、
画面に表示させる複数の選択対象となる第１領域を並べて配置する第１領域設定ステップと、
前記第１領域設定ステップにより配置された前記第１領域の数、位置、及び前記画面の仕様に基づいて、複数の前記第１領域のそれぞれに対応する複数の第２領域を設定する第２領域設定ステップと、
前記画面上の操作位置を検出する検出ステップと、
複数の前記第２領域のうち前記操作位置が含まれる前記第２領域に対応する前記第１領域を、選択中の領域であると判定する選択判定ステップと、
を実行させるためのプログラム。
【請求項１８】
コンピュータに、
画面に表示させる複数の選択対象となる第１領域を不連続に並べて配置する第１領域設定ステップと、
複数の前記第１領域のそれぞれに対応する複数の第２領域を、少なくとも２つの前記第２領域どうしの一部が隣接するように配置する第２領域設定ステップと、
前記画面上の操作位置を検出する検出ステップと、
複数の前記第２領域のうち前記操作位置が含まれる前記第２領域に対応する前記第１領域を、選択中の領域であると判定する選択判定ステップと、
を実行させるためのプログラム。
【請求項１９】
コンピュータに、
画面に表示させる複数の選択対象となる第１領域を並べて配置する第１領域設定ステップと、
前記第１領域設定ステップにより配置された前記第１領域の数に応じて前記画面の画面領域を分割した分割領域のそれぞれを、複数の前記第１領域のそれぞれに対応する複数の第２領域として設定する第２領域設定ステップと、
前記画面上の操作位置を検出する検出ステップと、
複数の前記第２領域のうち前記操作位置が含まれる前記第２領域に対応する前記第１領域を、選択中の領域であると判定する選択判定ステップと、
を実行させるためのプログラム。
【発明の詳細な説明】
【技術分野】
【０００１】
本発明は、表示制御装置、表示装置、テレビジョン、表示制御方法、及びプログラムに関する。
【背景技術】
【０００２】
画面に対する操作位置を移動させることにより、画面に表示された複数のアイコンの中から所望のアイコンを選択する操作方法がある。この操作方法では、アイコンの表示領域に操作位置を移動させることで、そのアイコンを選択することができるが、例えばアイコンの大きさが小さいと、操作位置を正確に所望のアイコンの表示領域に合わせること（移動させること）が難しくなる。そこで、アイコンの表示領域の周囲に補正領域を設け、操作位置が補正領域にあるときは操作位置をアイコンの表示領域内へ修正することで選択しやすくする技術がある（例えば、特許文献１参照）。
【先行技術文献】
【特許文献】
【０００３】
【特許文献１】特開２０１４−３５６３７号公報
【発明の概要】
【発明が解決しようとする課題】
【０００４】
しかしながら、上述した特許文献１に記載の技術では、補正領域のさらに外側に操作位置がある場合には、操作位置がアイコンの表示領域内へ修正されないため、選択し難い場合があった。例えば、操作位置を画面に表示させていない場合には、操作位置が画面上の何処にあるかがわからなくなる場合もあった。
【０００５】
本発明は上記の点に鑑みてなされたものであり、画面に対する操作性を向上させる表示制御装置、表示装置、テレビジョン、表示制御方法、及びプログラムを提供することを課題とする。
【課題を解決するための手段】
【０００６】
本発明は上記の課題を解決するためになされたものであり、本発明の一態様は、画面に表示させる複数の選択対象となる第１領域を並べて配置する第１領域設定部と、前記第１領域設定部により配置された前記第１領域の数、位置、及び前記画面の仕様に基づいて、複数の前記第１領域のそれぞれに対応する複数の第２領域を設定する第２領域設定部と、前記画面上の操作位置を検出する検出部と、複数の前記第２領域のうち前記操作位置が含まれる前記第２領域に対応する前記第１領域を、選択中の領域であると判定する選択判定部と、を備える表示制御装置である。
【０００７】
また、本発明の一態様は、画面に表示させる複数の選択対象となる第１領域を不連続に並べて配置する第１領域設定部と、複数の前記第１領域のそれぞれに対応する複数の第２領域を、少なくとも２つの前記第２領域どうしの一部が隣接するように配置する第２領域設定部と、前記画面上の操作位置を検出する検出部と、複数の前記第２領域のうち前記操作位置が含まれる前記第２領域に対応する前記第１領域を、選択中の領域であると判定する選択判定部と、を備える表示制御装置である。
【０００８】
また、本発明の一態様は、画面に表示させる複数の選択対象となる第１領域を並べて配置する第１領域設定部と、前記第１領域設定部により配置された前記第１領域の数に応じて前記画面の画面領域を分割した分割領域のそれぞれを、複数の前記第１領域のそれぞれに対応する複数の第２領域として設定する第２領域設定部と、前記画面上の操作位置を検出する検出部と、複数の前記第２領域のうち前記操作位置が含まれる前記第２領域に対応する前記第１領域を、選択中の領域であると判定する選択判定部と、を備える表示制御装置である。
【０００９】
また、本発明の一態様は、上記の表示制御装置、を備えた表示装置である。
【００１０】
また、本発明の一態様は、上記の表示装置、を備えたテレビジョンである。
【００１１】
また、本発明の一態様は、表示制御装置における表示制御方法であって、第１領域設定部が、画面に表示させる複数の選択対象となる第１領域を並べて配置する第１領域設定ステップと、第２領域設定部が、前記第１領域設定部により配置された前記第１領域の数、位置、及び前記画面の仕様に基づいて、複数の前記第１領域のそれぞれに対応する複数の第２領域を設定する第２領域設定ステップと、検出部が、前記画面上の操作位置を検出する検出ステップと、選択判定部が、複数の前記第２領域のうち前記操作位置が含まれる前記第２領域に対応する前記第１領域を、選択中の領域であると判定する選択判定ステップと、を有する表示制御方法である。
【００１２】
また、本発明の一態様は、表示制御装置における表示制御方法であって、第１領域設定部が、画面に表示させる複数の選択対象となる第１領域を不連続に並べて配置する第１領域設定ステップと、第２領域設定部が、複数の前記第１領域のそれぞれに対応する複数の第２領域を、少なくとも２つの前記第２領域どうしの一部が隣接するように配置する第２領域設定ステップと、検出部が、前記画面上の操作位置を検出する検出ステップと、選択判定部が、複数の前記第２領域のうち前記操作位置が含まれる前記第２領域に対応する前記第１領域を、選択中の領域であると判定する選択判定ステップと、を有する表示制御方法である。
【００１３】
また、本発明の一態様は、表示制御装置における表示制御方法であって、第１領域設定部が、画面に表示させる複数の選択対象となる第１領域を並べて配置する第１領域設定ステップと、第２領域設定部が、前記第１領域設定部により配置された前記第１領域の数に応じて前記画面の画面領域を分割した分割領域のそれぞれを、複数の前記第１領域のそれぞれに対応する複数の第２領域として設定する第２領域設定ステップと、検出部が、前記画面上の操作位置を検出する検出ステップと、選択判定部が、複数の前記第２領域のうち前記操作位置が含まれる前記第２領域に対応する前記第１領域を、選択中の領域であると判定する選択判定ステップと、を有する表示制御方法である。
【００１４】
また、本発明の一態様は、コンピュータに、画面に表示させる複数の選択対象となる第１領域を並べて配置する第１領域設定ステップと、前記第１領域設定ステップにより配置された前記第１領域の数、位置、及び前記画面の仕様に基づいて、複数の前記第１領域のそれぞれに対応する複数の第２領域を設定する第２領域設定ステップと、前記画面上の操作位置を検出する検出ステップと、複数の前記第２領域のうち前記操作位置が含まれる前記第２領域に対応する前記第１領域を、選択中の領域であると判定する選択判定ステップと、を実行させるためのプログラムである。
【００１５】
また、本発明の一態様は、コンピュータに、画面に表示させる複数の選択対象となる第１領域を不連続に並べて配置する第１領域設定ステップと、複数の前記第１領域のそれぞれに対応する複数の第２領域を、少なくとも２つの前記第２領域どうしの一部が隣接するように配置する第２領域設定ステップと、前記画面上の操作位置を検出する検出ステップと、複数の前記第２領域のうち前記操作位置が含まれる前記第２領域に対応する前記第１領域を、選択中の領域であると判定する選択判定ステップと、を実行させるためのプログラムである。
【００１６】
また、本発明の一態様は、コンピュータに、画面に表示させる複数の選択対象となる第１領域を並べて配置する第１領域設定ステップと、前記第１領域設定ステップにより配置された前記第１領域の数に応じて前記画面の画面領域を分割した分割領域のそれぞれを、複数の前記第１領域のそれぞれに対応する複数の第２領域として設定する第２領域設定ステップと、前記画面上の操作位置を検出する検出ステップと、複数の前記第２領域のうち前記操作位置が含まれる前記第２領域に対応する前記第１領域を、選択中の領域であると判定する選択判定ステップと、を実行させるためのプログラムである。
【発明の効果】
【００１７】
本発明によれば、画面に対する操作性を向上させることができる。
【図面の簡単な説明】
【００１８】
【図１】アイコン選択画面と選択判定領域との第１例を示す図。
【図２】実施形態に係る表示装置の構成の一例を示すブロック図。
【図３】実施形態に係るアイコン選択操作の制御処理の機能構成の一例を示す図。
【図４】実施形態に係るアイコン及び選択判定領域設定処理の一例を示すフローチャート。
【図５】実施形態に係る選択判定処理の一例を示すフローチャート。
【図６】アイコン選択画面と選択判定領域との他の第２例を示す図。
【図７】図６において操作位置が移動したときの選択判定の一例を示す図。
【図８】アイコン選択画面と選択判定領域との第３例を示す図。
【図９】アイコン選択画面と選択判定領域との第４例を示す図。
【図１０】アイコンの大きさに応じて選択判定領域を設定する設定例を示す図。
【図１１】選択判定領域とならない領域が一部に存在する設定の第１例を示す図。
【図１２】選択判定領域とならない領域が一部に存在する設定の第２例を示す図。
【発明を実施するための形態】
【００１９】
以下、図面を参照して、本発明の実施形態について説明する。
本実施形態では、画面に表示された複数のアイコン（例えば、各種のコンテンツや各種の機能が割り付けられたアイコン）の中から所望のアイコンをエアマウスを用いて選択する。エアマウスとは、空間における動き又は姿勢を認識することで、空中で画面に向けて動かすことにより画面に対する操作が可能なリモコン（リモートコントローラ）である。例えば、エアマウスは、ジャイロセンサを搭載し、ジャイロセンサを用いて角度変化を検出することで、画面に対して指し示す位置（即ち、操作位置）を移動させることが可能である。
【００２０】
ところで、近年、テレビジョンの機能が拡張され、インターネットのホームページやＶＯＤ（Ｖｉｄｅｏ Ｏｎ Ｄｅｍａｎｄ）などの様々なコンテンツを再生、表示できるようになり、これらのコンテンツを選択するためのアイコンの数も増えている。また、４Ｋ又は８Ｋなどの高解像度化も進んでおり、各アイコンの大きさも小さくなってきている。アイコンの表示領域に操作位置を移動させることで、そのアイコンを選択することができるが、アイコンの大きさが小さいと、操作位置を正確に所望のアイコンの表示領域に合わせること（移動させること）が難しくなる。特に、エアマウスを用いた操作方法では、角度変化によるため、細かな動きが不得意である。
【００２１】
そこで、本実施形態では、操作位置を示すポインタやカーソルなどの表示は行わず、選択中のアイコンのみ明示するようにするとともに、例えば、画面領域の全体を選択対象となるアイコンの数に分割した分割領域のそれぞれを各アイコンに対応する選択判定領域として設定する。選択判定領域とは、アイコンが選択された状態であるか否かを判定するための領域である。なお、ここでの選択とは、エアマウスでアイコンを指すことにより、そのアイコンが他のアイコンと区別され、選択確定の操作を受け付け可能な状態（所謂、フォーカスされた状態）になることである。複数（アイコンの数の分）の選択判定領域のうち、操作位置が含まれる選択判定領域に対応するアイコンが選択された状態（選択中の状態）であると判定される。
【００２２】
図１を参照して、複数のアイコンが表示された表示画面（以下、「アイコン選択画面」という）と各アイコンの選択判定領域とについて説明する。なお、以下では、複数のアイコンが表示された表示画面にことを、「アイコン選択画面」と記載する。また、アイコン選択画面に表示された各アイコンの選択判定領域を示す画面のことを、「選択判定領域画面」と記載する。この選択判定領域画面は、実際に表示される画面ではなく、アイコン選択画面に対して設定されている選択判定領域を図示したものである。
【００２３】
図１は、アイコン選択画面と選択判定領域との一例（第１例）を示す図である。アイコン選択画面ＧＡ１０には、矩形状のアイコンＡ〜Ｆまでの６つの選択可能なアイコンが表示されている。図示する例では、アイコンＡ〜Ｆは上段と下段の２段で表示されている。上段には、アイコンＡ〜Ｄの４つのアイコンが画面の水平ライン方向（以下、「水平方向」という）へ並んで所定の間隔を空けて配置されている。なお、アイコンＡ〜Ｄは、画面の垂直ライン方向（以下、「垂直方向」という）の幅は同じであるが、水平方向の幅はアイコンＢのみが狭い。一方、下段には、アイコンＥとアイコンＦの２つのアイコンが水平方向へ並んで所定の間隔を空けて配置されている。但し、アイコンＥとアイコンＦの水平方向の幅及び垂直方向の幅は、アイコンＡのそれぞれの幅の半分以下であり、水平方向におけるアイコンＥとアイコンＦの配置されている幅は、アイコンＡの幅未満である。
【００２４】
一方、選択判定領域画面ＧＳ１０は、アイコン選択画面ＧＡ１０に表示された各アイコンの選択判定領域を示している。選択判定領域画面ＧＳ１０に示すように、アイコン選択画面ＧＡ１０に配置されているアイコンの数に応じて画面領域を分割した６つの分割領域である選択判定領域Ａ´〜Ｆ´のそれぞれがアイコンＡ〜Ｆのそれぞれに対応する選択判定領域として設定されている。
【００２５】
具体的には、選択判定領域Ａ´〜Ｆ´は、水平方向及び垂直方向ともに、アイコン数と同じ数になるように画面領域が分割されて設定されている。図示するように、垂直方向に２つに分割され、上段は水平方向に４つに分割され、下段は水平方向に２つに分割されている。上段の選択判定領域Ａ´〜Ｄ´のそれぞれは、その並びに応じてアイコンＡ〜Ｄのそれぞれに対応する選択判定領域である。また、下段の選択判定領域Ｅ´と選択判定領域Ｆ´のそれぞれは、その並びに応じてアイコンＥとアイコンＦのそれぞれに対応する選択判定領域である。ここで、上段において、選択判定領域Ａ´〜Ｄ´のそれぞれは、水平方向において均等の幅を有する。同様に、下段において、選択判定領域Ｅ´と選択判定領域Ｆ´のそれぞれは、水平方向において均等の幅を有する。即ち、選択判定領域の幅は、アイコンの幅に直接的に左右されるのではなく、アイコンの数に応じて均等に分割されている。また、垂直方向の幅（上段と下段の幅）についても同様に均等である。
【００２６】
また、アイコン選択画面ＧＡ１０における画面上の操作位置（画面に対する操作位置）を、破線ＳＨが示す水平方向の直線（軸）と破線ＳＶが示す垂直方向の直線（軸）との交点で示している。なお、この破線ＳＨ及び破線ＳＶは、操作位置を示すために図示しているものであり、画面に表示されるものではない。アイコン選択画面ＧＡ１０における操作位置は、選択判定領域画面ＧＳ１０では選択判定領域Ｂ´に含まれるため、アイコンＢが選択されている状態であり、アイコンＢが選択されていることを示す強調表示がされている。ここでは、強調表示として、アイコンに枠が表示されている。なお、強調表示は、この枠が表示されることに限られるものではなく、例えば、元々アイコンに枠が表示されている場合には枠が太くなったり色が変わったりすること、或いは、アイコンのサイズが少し大きくなったり、アイコン自体の表示色やコントラストが変化することなど、他の選択されていないアイコンとの区別が可能であれば、いずれの方法あってもよい。
【００２７】
操作位置がアイコン選択画面ＧＡ１０に示す位置からアイコン選択画面ＧＡ１１に示す位置（アイコンＢから左斜め下方向）に移動すると、選択判定領域画面ＧＳ１１に示すように、移動後の操作位置が選択判定領域Ｅ´に含まれるため、アイコンＥが選択されている状態となる。つまり、アイコン選択画面ＧＡ１１において、操作位置がアイコンの表示領域外の位置に移動しているが、アイコンＢから左斜め下方向へ移動したことにより、当該方向の先にあるアイコンＥが選択されることになる。なお、図示する例で、アイコンＢからそのまま下方向へ操作位置が移動したとしても、アイコンＢにより近いアイコンＦではなくアイコンＥが選択されることになる。つまり、下段においてもアイコンＥの選択判定領域Ｅ´とアイコンＦの選択判定領域Ｆ´とが水平方向において画面の領域を均等に２分割しているため、左右の相対関係より上下の相対関係が優先されることになる。
【００２８】
このように、アイコンの数に応じて画面領域を分割した６つの分割領域が選択判定領域として設定されているため、隣接するアイコンどうしの選択判定領域の間に不感帯となる隙間がない。よって、画面内のどの位置をエアマウスで指していても、いずれかのアイコンが選択されている状態となるため、所望のアイコンを選択しやすくなる。また、エアマウスで指している現在の操作位置が画面上のどの辺りであるかがわからなくなることもない。
【００２９】
［表示装置の構成］
図２は、本実施形態に係る表示装置１の構成の一例を示すブロック図である。表示装置１は、映像信号が入力されることにより、当該映像信号に対して各種の信号処理を行い、信号処理後の映像を表示する。例えば、表示装置１は、放送波を介して入力される映像信号や、インターネットのホームページ、ＶＯＤ（Ｖｉｄｅｏ Ｏｎ Ｄｅｍａｎｄ）などの様々なコンテンツの映像信号を表示するテレビジョンである。なお、表示装置１は、テレビジョン放送の入力には対応していなくてもよく、ＨＤＭＩ（Ｈｉｇｈ Ｄｅｆｉｎｉｔｉｏｎ Ｍｕｌｔｉｍｅｄｉａ Ｉｎｔｅｒｆａｃｅ、登録商標）端子、コンポジット映像端子、セパレート映像端子（Ｓ端子）、コンポーネント映像端子、Ｄ映像端子（Ｄ端子）などの入力端子から入力される映像信号を表示する表示装置（例えば、ＰＣ（Ｐｅｒｓｏｎａｌ Ｃｏｍｐｕｔｅｒ）用のモニターや映像評価用のマスターモニターなど）であってもよい。また、これらの表示装置は、多機能携帯電話機（所謂、スマートフォンを含む）、表示装置と一体として構成されたＰＣ（デスクトップ型ＰＣ、ラップトップ型ＰＣ、タブレット型ＰＣなどを含む）などであってもよい。
【００３０】
例えば、表示装置１は、表示制御装置１０と、表示部２０とを備えている。表示制御装置１０１０は、ＭＰＵ（Ｍｉｃｒｏ−Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１３と、表示制御部１４と、ビデオＲＡＭ１５と、通信部１６とを備えている。
【００３１】
ＭＰＵ１１は、表示装置１の各部を制御する主制御部として表示装置１における各種の処理を実行する。例えば、ＭＰＵ１１は、表示装置１に入力された映像信号に対する画像処理や画像処理を行った映像信号に基づく映像を表示部２０に表示させる処理などを実行する。また、ＭＰＵ１１は、各種の選択対象となるアイコンを表示部２０に表示させる処理、表示部２０に表示させた各種のアイコンを選択する操作の選択判定処理、及び選択操作に関する表示処理などを実行する。
【００３２】
ＲＡＭ１２は、ＭＰＵ１１が処理を実行する際の作業領域として用いられ、実行中の各種のプログラム、処理中の各種のデータなどを一時的に格納する。
ＲＯＭ１３は、ＭＰＵ１１が実行する各種のプログラム、処理に必要な各種のデータなどが記憶された不揮発性のメモリである。
【００３３】
表示制御部１４は、ＭＰＵ１１の制御に応じて、表示装置１の画面上に表示される映像やアイコンなどの画像データを生成する。また、表示制御部１４は、生成した画像データを表示部２０へ表示させる。
ビデオＲＡＭ１５は、表示制御部１４が処理を実行する際の作業領域となり、生成された画像データを一時的に格納する。
【００３４】
通信部１６は、Ｂｌｕｅｔｏｏｔｈ（登録商標）やＷｉ−Ｆｉ（登録商標）などの無線通信に対応し、エアマウス１００から送信される操作信号を受信する。
エアマウス１００は、エアマウス１００の動き（例えば、角度変化）を検出し、検出結果を示す検出信号を操作信号として出力する。例えば、エアマウス１００は、ジャイロセンサなどのモーションセンサを備え、エアマウス１００の角度変化（角速度あるいは角加速度など）を検出し、検出結果を示す検出信号を操作信号として出力する。なお、エアマウス１００は、ジャイロセンサに代えて或いは加えて、加速度センサ、傾斜センサ、地磁気センサなどを備えてエアマウス１００の動きを検出してもよい。また、エアマウス１００は、物理的に操作が可能な操作ボタンを備えてもよく、操作ボタンに対して操作がされたことに応じて、当該操作を示す操作信号を出力してもよい。
【００３５】
次に、図３を参照して、ＭＰＵ１１が実行する制御部としての機能のうち図１を参照して説明したアイコン選択操作の制御処理の機能ついてについて詳しく説明する。
図３は、本実施形態に係るアイコン選択操作の制御処理の機能構成の一例を示す図である。図示するアイコン制御部１１０は、ＭＰＵ１１が実行するアイコン選択操作の制御処理による機能構成の一例であり、アイコン設定部１１１（第１領域設定部の一例）と、選択判定領域設定部１１２（第２領域設定部の一例）と、操作検出部１１３と、選択判定部１１４と、選択表示部１１５とを備えている。
【００３６】
アイコン設定部１１１は、画面に表示させる複数の選択対象となる所定の数のアイコン（第１領域の一例）を、所定の位置に並べて配置する。例えば、図１のアイコン選択画面ＧＡ１０、ＧＡ１１に示すように、アイコン設定部１１１は、アイコンＡ〜Ｆを上段と下段の２段に分けて水平方向へ所定の間隔を空けて（即ち、不連続に）並べて配置する。なお、アイコン設定部１１１は、画面に表示するアイコンの一部又は全てを連続的に並べて配置してもよい。また、アイコン設定部１１１は、表示するアイコンの内容（即ち、選択対象の内容）又はユーザの操作状況、或いは画面の仕様（画面サイズ、解像度（画素数）など）に基づいて、画面に表示するアイコンの数、サイズ、及び位置を必要に応じて変更して配置してもよい。
【００３７】
選択判定領域設定部１１２は、アイコン設定部１１１により配置された複数のアイコンのそれぞれに対応する複数の選択判定領域（第２領域の一例）を設定する。例えば、図１の選択判定領域画面ＧＳ１０、ＧＳ１１に示すように、選択判定領域設定部１１２は、アイコン設定部１１１により配置されたアイコンＡ〜Ｆの数に応じて画面の画面領域を分割した分割領域のそれぞれを、複数のアイコンのそれぞれに対応する複数の選択判定領域Ａ´〜Ｆ´として設定する。つまり、選択判定領域設定部１１２は、複数のアイコンのそれぞれに対応する複数の選択判定領域を、所定の間隔を開けずに隣接させ連続的に配置する。
【００３８】
また、選択判定領域設定部１１２は、画面上の水平方向及び垂直方向において、アイコンの数と同じ数になるように画面領域を分割した選択判定領域を設定する。例えば、選択判定領域設定部１１２は、水平方向と垂直方向とのそれぞれにおいて均等の幅を有する複数の選択判定領域を設定する。
【００３９】
また、表示するアイコンの内容（即ち、選択対象の内容）又はユーザの操作状況、或いは画面の仕様（画面サイズ、解像度（画素数）など）によて、画面に表示されるアイコンの数、サイズ、及び位置などは変化する。そのため、選択判定領域設定部１１２は、アイコン設定部１１１により配置されたアイコンの数、位置、及び画面の仕様に基づいて、複数のアイコンのそれぞれに対応する複数の選択判定領域を動的に生成して設定する。
【００４０】
操作検出部１１３は、通信部１６が受信するエアマウス１００から送信される操作信号に基づいて、画面上の操作位置を検出する。例えば、ユーザが、手に持っているエアマウス１００を表示装置１の画面の方へ向けて、ヨー方向又はピッチ方向へ動かすことに応じて、エアマウス１００からジャイロセンサで検出された角度変化（角速度あるいは角加速度など）の検出信号が操作信号として送信される。操作検出部１１３は、この操作信号に基づいて、検出された角度変化に応じた操作位置の位置座標を変化させる。
【００４１】
なお、操作検出部１１３は、例えば、エアマウス１００に設けられている所定の操作ボタンが押下された場合に、操作位置を画面の中央の位置に設定（或いは、再設定）してもよい。
【００４２】
選択判定部１１４は、複数の選択判定領域のうち操作位置が含まれる選択判定領域に対応するアイコンを、選択中のアイコンであると判定する。
【００４３】
選択表示部１１５は、選択判定部１１４により選択中であると判定されたアイコンを、選択中であることを示す表示態様に変更する。例えば、選択表示部１１５は、選択中のアイコンを強調表示させる。
【００４４】
［処理の動作］
次に、表示装置１のアイコン制御部１１０が実行するアイコン選択操作の制御処理の動作について説明する。まず、図４を参照して、アイコン選択画面に切り替えられた際に、アイコン及び選択判定領域を設定する処理の動作について説明する。図４は、本実施形態に係るアイコン及び選択判定領域設定処理の一例を示すフローチャートである。
【００４５】
（ステップＳ１０１）アイコン制御部１１０は、ユーザの操作により、アイコン選択画面に切り替えられたか否かを判定する。アイコン制御部１１０は、アイコン選択画面に切り替えられたと判定した場合（ＹＥＳ）、ステップＳ１０３の処理に進む。一方、アイコン制御部１１０は、アイコン選択画面に切り替えられていないと判定した場合（ＮＯ）、ステップＳ１０１の処理を再び行う。
【００４６】
（ステップＳ１０３）アイコン制御部１１０は、アイコン設定部１１１は、画面に表示させる複数の選択対象となる所定の数のアイコンを、所定の位置に並べて配置する。例えば、図１のアイコン選択画面ＧＡ１０、ＧＡ１１に示すように、アイコン設定部１１１は、アイコンＡ〜Ｆを上段と下段の２段に分けて水平方向へ所定の間隔を空けて（即ち、不連続に）並べて配置する。これにより、表示制御部１４を介して表示部２０に複数のアイコンが表示される。そして、ステップＳ１０５の処理に進む。
【００４７】
（ステップＳ１０５）アイコン制御部１１０は、アイコンの数、位置、及び画面の仕様に基づいて、複数のアイコンのそれぞれに対応する複数の選択判定領域を設定する。例えば、アイコン制御部１１０は、図１の選択判定領域画面ＧＳ１０、ＧＳ１１に示すように、ステップＳ１０３において配置されたアイコンＡ〜Ｆの数、及び位置に基づいて画面の画面領域を分割した分割領域のそれぞれを、複数のアイコンのそれぞれに対応する複数の選択判定領域Ａ´〜Ｆ´として設定する。
【００４８】
次に、図５を参照して、アイコン選択画面において、エアマウス１００の操作により選択されたアイコンを判定する選択判定処理の動作について説明する。図５は、本実施形態に係る選択判定処理の一例を示すフローチャートである。
【００４９】
（ステップＳ２０１）アイコン制御部１１０は、エアマウス１００から送信される操作信号に基づいて操作がされたか否かを判定する。アイコン制御部１１０は、操作がされたと判定した場合（ＹＥＳ）、ステップＳ２０３の処理に進む。一方、アイコン制御部１１０は、操作がされていないと判定した場合（ＮＯ）、ステップＳ２０１の処理を再び行う。
【００５０】
（ステップＳ２０３）アイコン制御部１１０は、エアマウス１００から送信される操作信号に基づいて画面上の操作位置を検出し、ステップＳ２０５の処理に進む。
（ステップＳ２０５）アイコン制御部１１０は、検出された操作位置が含まれる選択判定領域に対応するアイコンを、選択中のアイコンであると判定し、ステップＳ２０７の処理に進む。
（ステップＳ２０７）アイコン制御部１１０は、選択中と判定したアイコンを強調表示させる。
【００５１】
［選択判定領域の他の設定例］
次に、アイコン選択画面及び選択判定領域画面の他の設定例について説明する。
図６は、アイコン選択画面と選択判定領域との他の例（第２例）を示す図である。この図は、アイコンが３段で配置された場合の選択判定領域の設定例を示す図である。アイコン選択画面ＧＡ２０には、矩形状のアイコンＡ〜Ｉまでの９つの選択可能なアイコンが上段、中段、下段の３段で配置され表示されている。上段には、アイコンＡのみが配置されている。中段には、アイコンＢ〜Ｄが水平方向へ並んで所定の間隔を空けて配置されている。なお、図示するように、アイコンＢは、アイコンＣ、Ｄより大きく、水平方向のアイコンＢの幅がアイコンＣ、Ｄのそれぞれの幅の約３倍、垂直方向のアイコンＢの幅がアイコンＣ、Ｄのそれぞれの幅の約４倍である。下段には、アイコンＥ〜Ｉが水平方向へ並んで所定の間隔を空けて配置されている。アイコンＥ〜Ｉは、水平方向の幅が同じであり、垂直方向の幅も同じである。
【００５２】
一方、選択判定領域画面ＧＳ２０は、アイコン選択画面ＧＡ２０に表示された各アイコンの選択判定領域を示している。図示する例では、アイコン選択画面ＧＡ２０に配置されているアイコンの数に応じて画面領域を分割した９つの分割領域である選択判定領域Ａ´〜Ｉ´のそれぞれがアイコンＡ〜Ｆのそれぞれに対応する選択判定領域として設定されている。例えば、アイコン選択画面ＧＡ２０において、上段、中段、下段に配置されているアイコンの垂直方向の幅は同じではないが、選択判定領域画面ＧＳ２０では、選択判定領域として画面領域が垂直方向に３つに均等に分割されている。上段には、アイコンＡに対応する選択判定領域Ａ´のみが設定されている。中段は、画面領域が水平方向に均等に３つに分割されており、アイコンＢ〜Ｄに対応する選択判定領域Ｂ´〜Ｄ´が設定されている。つまり、アイコンＢとアイコンＣ、Ｄとは水平方向の幅も垂直方向の幅も異なるが、選択判定領域Ｂ´〜Ｄ´水平方向の幅も垂直方向の幅も同じである。下段は、画面領域が水平方向に均等に５つに分割されており、アイコンＥ〜Ｉに対応する選択判定領域Ｅ´〜Ｉ´が設定されている。また、アイコン選択画面ＧＡ２０における操作位置（破線ＳＨと破線ＳＶとの交点）は、選択判定領域画面ＧＳ２０では選択判定領域Ｂ´に含まれる。そのため、アイコンＢが選択されている状態であり、アイコン選択画面ＧＡ２０では、アイコンＢが選択されていることを示す強調表示がされている。
【００５３】
図７は、図６において操作位置が移動したときの選択判定の一例を示す図である。操作位置が図６のアイコン選択画面ＧＡ２０に示す位置から図７のアイコン選択画面ＧＡ２１に示す位置（右斜め上方向）に移動すると、選択判定領域画面ＧＳ２１に示すように、移動後の操作位置が選択判定領域Ｃ´に含まれるため、アイコンＣが選択されている状態となる（アイコン選択画面ＧＡ２１においてアイコンＣが強調表示）。つまり、アイコン選択画面ＧＡ２１において、移動後の操作位置はアイコンＢの領域内にあるが、右方向（右斜め上方向）へ移動したことにより、当該方向の先にあるアイコンＣが選択されることになる。
【００５４】
図８は、アイコン選択画面と選択判定領域との他の例（第３例）を示す図である。この図は、図６及び図７と同様にアイコンが３段で配置された場合の選択判定領域の設定例であるが、上段にも複数のアイコンが配置されている点が異なる。アイコン選択画面ＧＡ３０には、矩形状のアイコンＡ〜Ｌまでの１２の選択可能なアイコンが上段、中段、下段の３段で配置され表示されている。上段には、それぞれ同じ大きさのアイコンＡ〜Ｇが水平方向へ並んで所定の間隔を空けて配置されている。中段には、それぞれ同じ大きさの２つのアイコンＨ、Ｉが水平方向へ並んで所定の間隔を空けて配置されている。下段には、３つのアイコンＪ〜Ｌが水平方向へ並んで所定の間隔を空けて配置されている。
【００５５】
一方、選択判定領域画面ＧＳ３０は、アイコン選択画面ＧＡ３０に表示された各アイコンの選択判定領域を示している。図示する例では、アイコン選択画面ＧＡ３０に配置されているアイコンの数に応じて画面領域を分割した１２の分割領域である選択判定領域Ａ´〜Ｌ´のそれぞれがアイコンＡ〜Ｌのそれぞれに対応する選択判定領域として設定されている。例えば、アイコン選択画面ＧＡ３０において、上段、中段、下段に配置されているアイコンの垂直方向の幅は同じではないが、選択判定領域画面ＧＳ３０では、選択判定領域として画面領域が垂直方向に３つに均等に分割されている。上段は、画面領域が水平方向に均等に７つに分割されており、アイコンＡ〜Ｇに対応する選択判定領域Ａ´〜Ｇ´が設定されている。中段は、画面領域が水平方向に均等に２つに分割されており、アイコンＨ、Ｉに対応する選択判定領域Ｈ´、Ｉ´が設定されている。下段は、画面領域が水平方向に均等に３つに分割されており、アイコンＪ〜Ｌに対応する選択判定領域Ｊ´〜Ｌ´が設定されている。また、アイコン選択画面ＧＡ３０における操作位置（破線ＳＨと破線ＳＶとの交点）は、選択判定領域画面ＧＳ３０では選択判定領域Ｈ´に含まれる。そのため、アイコンＨが選択されている状態であり、アイコン選択画面ＧＡ３０では、アイコンＨが選択されていることを示す強調表示がされている。
【００５６】
図９は、アイコン選択画面と選択判定領域との他の例（第４例）を示す図である。この図は、アイコンが画面の上端と下端にのみ配置された場合の選択判定領域の設定例である。アイコン選択画面ＧＡ４０には、矩形状の４つのアイコンＡ〜Ｄが配置され表示されている。上端には、アイコンＡのみが配置されている。下端には、３つのアイコンＢ〜Ｄが水平方向へ並んで所定の間隔を空けて配置されている。このアイコンの配置は、例えば、動画コンテンツの再生中にアイコン選択画面に切り替わった時に表示されるアイコンの配置例である。例えば、アイコンＡは、再生可能なコンテンツの一覧画面に遷移させる機能が割り当てられている。また、アイコンＢ〜Ｄは、再生中の動画コンテンツの停止（一時停止）、再生、早送り、巻き戻しなどの機能が割り当てられている。
【００５７】
一方、選択判定領域画面ＧＳ４０は、アイコン選択画面ＧＡ４０に表示された各アイコンの選択判定領域を示している。図示する例では、アイコン選択画面ＧＡ４０に配置されているアイコンの数に応じて画面領域を分割した４つの分割領域である選択判定領域Ａ´〜Ｄ´のそれぞれがアイコンＡ〜Ｄのそれぞれに対応する選択判定領域として設定されている。例えば、アイコン選択画面ＧＡ４０では、上端と下端のみにアイコンが配置されているが、選択判定領域画面ＧＳ４０では、選択判定領域として画面領域が垂直方向に上段と下段の２つに均等に分割されている。上段は、アイコンＡに対応する選択判定領域Ａ´として設定されている。下段は、画面領域が水平方向に均等に３つに分割されており、アイコンＢ〜Ｄに対応する選択判定領域Ｂ´〜Ｄ´が設定されている。また、アイコン選択画面ＧＡ４０における操作位置（破線ＳＨと破線ＳＶとの交点）は画面の中央で、アイコンが配置されている領域とは離れているが、選択判定領域画面ＧＳ４０では選択判定領域Ｃ´に含まれる。そのため、アイコンＣが選択されている状態であり、アイコン選択画面ＧＡ４０では、アイコンＣが選択されていることを示す強調表示がされている。
【００５８】
［まとめ］
以上説明したように、本実施形態に係る表示装置１は、アイコン設定部１１１（第１領域設定部の一例）と、選択判定領域設定部１１２（第２領域設定部の一例）と、操作検出部１１３（検出部の一例）と、選択判定部１１４とを備えている。アイコン設定部１１１は、画面に表示させる複数の選択対象となるアイコン（第１領域の一例）を並べて配置する。選択判定領域設定部１１２は、アイコン設定部１１１により配置されたアイコンの数、位置、及び画面の仕様に基づいて、複数のアイコンのそれぞれに対応する複数の選択判定領域（第２領域の一例）を設定する。操作検出部１１３は、画面上の操作位置を検出する。そして、選択判定部１１４は、複数の選択判定領域のうち操作位置が含まれる選択判定領域に対応するアイコンを、選択中のアイコンであると判定する。
【００５９】
これにより、表示装置１は、アイコンの数、位置、及び画面の仕様（画面サイズ、解像度（画素数）など）に応じて、複数のアイコンのそれぞれに対応する複数の選択判定領域を動的に適切に設定することができるため、アイコンを選択しやすいようにすることが可能である。よって、画面に対する操作性を向上させることができる。
【００６０】
例えば、選択判定領域設定部１１２は、アイコン設定部１１１により配置されたアイコンの数に応じて画面の画面領域を分割した分割領域のそれぞれを選択判定領域とする。これにより、表示装置１は、画面内のどの位置をエアマウス１００で指していても、いずれかのアイコンが選択されている状態となるため、所望のアイコンを選択しやすくなる。また、エアマウス１００で指している現在の操作位置がポインタやカーソルなどで表示されていない場合でも、画面上のどの辺りを指しているかがわからなくなることがない。
【００６１】
また、選択判定領域設定部１１２は、画面上の水平方向（第１方向の一例）と水平方向に直行する垂直方向（第２方向の一例）とにおいて、アイコンの数と同じ数になるように選択判定領域を設定する。これにより、表示装置１は、アイコンの並びに対応した数の選択判定領域を設定するため、アイコンを直感的に選択しやすくすることができる。
【００６２】
また、選択判定領域設定部１１２は、上記水平方向と垂直方向とのそれぞれにおいて均等の幅を有する複数の選択判定領域を設定してもよい。これにより、表示装置１は、各アイコンの大小にかかわらず、アイコンの数に応じて均等の幅を有する複数の選択判定領域を設定するため、特定のアイコンのみが選択し難くなるようなことがない。よって、画面に対する操作性を向上させることができる。
【００６３】
なお、選択判定領域設定部１１２は、画面上の少なくともいずれか一方向（例えば、水平方向または垂直方向のいずれか一方向）において、アイコンの数と同じ数になるように選択判定領域を設定してもよい。これにより、表示装置１は、画面上の少なくともいずれか一方向において、アイコンの並びに対応した数の選択判定領域を設定するため、アイコンを直感的に選択しやすくすることができる。
【００６４】
また、選択判定領域設定部１１２は、画面上の少なくともいずれか一方向（例えば、水平方向または垂直方向のいずれか一方向）において、均等の幅を有する複数の選択判定領域を設定してもよい。これにより、表示装置１は、画面上の少なくともいずれか一方向において、各アイコンの大小にかかわらず、アイコンの数に応じて均等の幅を有する複数の選択判定領域を設定するため、特定のアイコンのみが選択し難くなることを抑制することができる。よって、画面に対する操作性を向上させることができる。
【００６５】
また、表示装置１は、選択判定部１１４により選択中の領域であると判定されたアイコンを、選択中であることを示す表示態様に変更する。これにより、表示装置１は、どのアイコンが選択中であるかをユーザが認識できるとともに、エアマウスで指している現在の操作位置がポインタやカーソルなどで表示されていない場合でも、画面上のどの辺りを指しているかが分からなくならないようにすることができる。
【００６６】
また、アイコン設定部１１１は、画面に表示させる複数の選択対象となるアイコンを不連続に並べて配置する。一方、選択判定領域設定部１１２は、複数のアイコンのそれぞれに対応する複数の選択判定領域を連続的に並べて配置する。これにより、表示装置１は、隣接するアイコンどうしの選択判定領域の間に不感帯となる隙間がないため、画面内のどの位置をエアマウス１００で指していても、いずれかのアイコンが選択されている状態となり、所望のアイコンを選択しやすくなる。また、エアマウス１００で指している現在の操作位置がポインタやカーソルなどで表示されていない場合でも、画面上のどの辺りを指しているかがわからなくなることがない。
【００６７】
［変形例］
上述した選択判定領域の設定例では、アイコンの数及び位置（並び）に応じて、画面領域を水平方向及び垂直方向に均等に分割した領域を選択判定領域として設定する例を説明したが、これに限られるものではない。例えば、選択判定領域設定部１１２は、複数のアイコンのそれぞれの大きさに応じて、複数の選択判定領域のそれぞれの大きさを設定してもよい。図１０は、アイコンの大きさに応じて選択判定領域の大きさを設定する設定例を示す図である。アイコン選択画面Ｇ５０及びＧ５１におけるアイコンの配置は、図１に示すアイコン選択画面Ｇ１０及びＧ１１と同様であるが、選択判定領域画面ＧＳ５０及びＧＳ５１が図１に示す選択判定領域画面ＧＳ１０及びＧＳ１１とは異なる。選択判定領域画面ＧＳ５０及びＧＳ５１では、のアイコンのそれぞれの大きさに応じて、複数の選択判定領域のそれぞれの大きさが設定されている。例えば、上段と下段の選択判定領域の垂直方向の幅は、アイコンと同様に上段の方が広く設定されている。また、上段では、アイコンＢの水平方向の幅がアイコンＡ、Ｃ、Ｄより狭いため、選択判定領域Ｂ´も選択判定領域Ａ´、Ｃ´、Ｄ´より狭く設定されている。アイコン選択画面Ｇ５０における操作位置は、選択判定領域画面ＧＳ５０では選択判定領域Ｂ´に含まれるため、図１に示す例と同様に、アイコンＢが選択されている状態であり、アイコンＢが選択されていることを示す強調表示がされている。一方、アイコン選択画面Ｇ５１における操作位置は、選択判定領域画面ＧＳ５１では選択判定領域Ａ´に含まれるため、図１に示す例と異なり、アイコンＡが選択されている状態であり、アイコンＡが選択されていることを示す強調表示がされている。
【００６８】
なお、選択判定領域設定部１１２は、複数のアイコンのそれぞれの機能に応じて、複数の選択判定領域のそれぞれの大きさを設定してもよい。例えば、選択判定領域設定部１１２は、予め設定された機能のアイコンに対応する選択判定領域の大きさを、他のアイコンに対応する選択判定領域よりも大きく設定してもよい。予め設定された機能とは、例えば、重要な機能、使用頻度が高いと想定される機能などである。また、選択判定領域設定部１１２は、実際に各アイコンの使用頻度を計数し、使用頻度の高いアイコンに対応する選択判定領域の大きさを、使用頻度の低いアイコンに対応する選択判定領域よりも大きく設定してもよい。
【００６９】
上述した選択判定領域の設定例では、画面領域の全体をアイコンの数で分割した分割領域を選択判定領域としたため、画面領域に選択判定領域とならない領域が存在していないが、選択判定領域とならない領域が画面領域の一部に存在してもよい。この図１１は、選択判定領域とならない領域が画面領域の一部に存在する設定の第１例を示す図である。この図に示す例は、選択判定領域Ａ´〜Ｆ´の周囲（画面領域の上下左右の各端の領域）に選択判定領域とならない隙間が設けられている例である。なお、画面領域の上下左右のすべての端に選択判定領域とならない隙間が設けられてもよいし、少なくとも上下左右のいずれか一つの端に選択判定領域とならない隙間が設けられてもよい。また、図１２は、選択判定領域とならない領域が画面領域の一部に存在する設定の第２例を示す図である。この図１２は、上段の選択判定領域Ａ´〜Ｄ´と下段の選択判定領域Ｅ´〜Ｆ´の間に選択判定領域とならない隙間が設けられている例である。なお、アイコンが３段以上の複数の段で配置されている場合には、少なくとも一以上の段と段の間に選択判定領域とならない隙間が設けられてもよい。また、左右方向に複数の列でアイコンが配置されている場合には、少なくとも一以上の列と列の間に選択判定領域とならない隙間が設けられてもよい。つまり、選択判定領域設定部１１２は、複数の選択判定領域のうち少なくとも２つの選択判定領域どうしの一部を隣接させてもよい。これにより、表示装置１は、エアマウス１００で操作位置を移動させたときに選択中のアイコンが連続的に切り替わるため、選択判定領域どうしの間に不感帯となる隙間がある場合に比べて、アイコンを選択しやすくなる。よって、画面に対する操作性を向上させることができる。
【００７０】
また、上記実施形態では、選択対象となる領域（第１領域）としてアイコンが表示される例を説明したが、アイコン以外のものであってもよく、例えば、選択対象となる領域（第１領域）としてボタン又はバナーなどが表示されてもよい。
【００７１】
また、上記実施形態では、アイコンの数、位置、及び画面の仕様に基づいて、複数のアイコンのそれぞれに対応する複数の選択判定領域が動的に生成される例を説明したが、選択判定領域は、動的に生成されなくてもよい。例えば、アイコンの数、位置、画面の仕様などに基づいて選択判定領域が予め設定されていてもよい。
【００７２】
また、上記実施形態では、画面に対する操作方法として、エアマウスを用いた操作方法を例として説明したが、エアマウスに限定されるものではない。例えば、机上（或いは机上に置かれたパッド上）などで操作するマウスやペンタブレットを用いた操作方法、レーザポインタを用いた操作方法、人の動きなどを検出するモーションキャプチャーを用いた操作方法に適用することもできる。
【００７３】
なお、上述した実施形態における表示装置１の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７４】
また、表示装置１の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の表示装置１内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００７５】
また、上記実施形態では、表示部２０を備えた表示装置１の構成例を説明したが、表示部２０が備えられていない表示制御装置として構成してもよい。例えば、表示制御装置は、外部装置としてのテレビジョンやモニターなどと接続可能であり、図２に示す表示制御装置１０の構成（及び図３に示すアイコン制御部１１０の構成）の一部又は全部を備える構成としてもよい。具体的には、外部装置としてのテレビジョンやモニターなどに映像信号を出力するＤＶＤプレイヤー、ＨＤＤレコーダー、ケーブルテレビの受信機（チューナー）、家庭用ゲーム機などにも本発明を適用することができる。
【００７６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７７】
１  表示装置、１０  表示制御装置、２０  表示部、１１  ＭＰＵ、１２  ＲＡＭ、１３  ＲＯＭ、１４  表示制御部、１５  ビデオＲＡＭ、１６  通信部、１００  エアマウス、１１０  アイコン制御部、１１１  アイコン設定部、１１２  選択判定領域設定部、１１３  操作検出部、１１４  選択判定部、１１５  選択表示部
【図１】
2020003915.tif 000003
【図２】
2020003915.tif 000004
【図３】
2020003915.tif 000005
【図４】
2020003915.tif 000006
【図５】
2020003915.tif 000007
【図６】
2020003915.tif 000008
【図７】
2020003915.tif 000009
【図８】
2020003915.tif 000010
【図９】
2020003915.tif 000011
【図１０】
2020003915.tif 000012
【図１１】
2020003915.tif 000013
【図１２】
2020003915.tif 000014